(57)【要約】【課題】  低コストで簡単な施工構造でありながら、外壁板下端部近傍を安定して支持し、かつ通気層を確保することのできる外壁板縦張り施工構造を提供する。【解決手段】  外壁板３０と横胴縁９１との間に隙間を空けた状態で外壁板３０の左右側辺３１を位置決め固定することのできる留付金具２０を用いた、外壁板３０の縦張り施工構造であって、留め付けた外壁板３０の下端近傍に位置する横胴縁９１には、外壁板３０の左右側辺３１を位置決め固定している留付金具２０と、外壁板３０の下端を支承しているスターター金具１０とが上下方向に隣接して固定されており、スターター金具１０は、横胴縁９１に固定される基板１１と、基板１１から水平方向に延びており外壁板３０下端を支承することのできる受け板１２とからなる。【選択図】  図１
2006083652.tif 000002
【特許請求の範囲】
【請求項１】
外壁板と横胴縁との間に隙間を空けた状態で外壁板の左右側辺を位置決め固定することのできる留付金具を用いた、外壁板の縦張り施工構造であって、
留め付けた外壁板の下端近傍に位置する横胴縁には、外壁板の左右側辺を位置決め固定している前記留付金具と、外壁板の下端を支承しているスターター金具とが上下方向に隣接して固定されており、
前記スターター金具は、横胴縁に固定される基板と、該基板から水平方向に延びており外壁板下端を支承することのできる受け板とからなることを特徴とする外壁板縦張り施工構造。
【請求項２】
前記スターター金具は、左右に隣接する２枚以上の外壁板の下端を支承することのできる長さを有することを特徴とする請求項１記載の外壁板縦張り施工構造。
【請求項３】
前記スターター金具の受け板に少なくとも１つの水抜き用の孔が設けられていることを特徴とする請求項１または２記載の外壁板縦張り施工構造。
【発明の詳細な説明】
【技術分野】
【０００１】
本発明は、建物外壁において、外壁板を、その長手方向を縦にして構造躯体に留め付けてなる縦張り施工構造に関する。
【背景技術】
【０００２】
窯業系等の外壁板を建物外壁部分に留め付けていく外壁施工には、外壁板の長手方向を横方向（水平方向）として躯体側に張り付けていく横張り工法と、長手方向を縦方向（上下方向）として躯体側に張り付けていく縦張り工法とがある。縦張り工法では、建物各階の高さ分に相当する長手方向長さを有する外壁板を用い、建物各階において、長手方向を縦にして外壁板を留め付けていくことにより、外壁面を構築する。
【０００３】
上記縦張り工法において、各外壁板の左右方向の接合にあたっては、例えば、外壁板の左右側辺に形成された上下実部を利用した合決接合を行い、専用の留付金具を使用して外壁板を躯体に留め付けることが行われている。特に、留付金具として、外壁板の上下実部を係止することのできる係止部と、外壁板裏面に当接され、背面側より支持するスペーサ部を有する留付金具を使用することにより、外壁板と躯体との間に所定の間隔を空けた状態で外壁板を躯体に留め付けることが知られている（例えば、特許文献１参照）。このようにして形成された外壁施工構造においては、外壁板と躯体との間に通気層が確保され、外壁板裏面に結露するのを防止することができる。
【０００４】
一方、各外壁板の上下方向の接合にあたっては、建物土台部および各階間の上下接合部において、次のような施工が行われている。
【０００５】
まず、土台部の施工について説明する。図６（ａ）は土台部の施工の一例を示しており、構造躯体９２に防水紙９３を介して横胴縁９１を固定している。そして、横胴縁９１に土台水切４０Ａおよび外壁板３０を固定している。図に示される土台水切４０Ａは、横胴縁９１に固定される基板４１Ａと、基板４１Ａの下端から表面側に延びる水切部４２Ａと、水切部４２Ａの上方において基板４１Ａから水平に延びる受け板４３Ａとを備えている。図に示す施工構造では、土台水切４０Ａの受け板４３Ａに外壁板３０の下端を載置した状態で、外壁板３０の表面から釘９５を打ち付けることにより、外壁板３０を横胴縁９１に対して安定した状態で固定している。
【０００６】
図６（ｂ）は、土台部の他の施工例を示しており、この施工例では、土台水切４０Ｂとは別に、外壁板用の水切部材６０を使用している（特許文献２参照）。この水切部材６０は、横胴縁９１に固定される基板６１と、基板６１の下端から表面側に延びる受け板６２と、受け板６２の先端から上方に延びる前面板６３とを備えている。さらに、基板６１の上側縁に沿って、表面側に突出する凸条６４が形成され、また、裏面側に複数の足部６５が形成されている。図に示す施工構造では、水切部材６０の受け板６２と前面板６３とで外壁板３０下部を支承するとともに、凸条６４と足部６５とによって外壁板３０と構造躯体９２との間に十分な隙間を空け、通気層を確保している。
【０００７】
次に、上下接合部の施工例について説明する。図７（ａ）に示す施工例では、中間水切５０Ａを間に挟んで上下の外壁板３０Ａ，３０Ｂを留め付けている。中間水切５０Ａは、横胴縁９１に固定される基板５１Ａと、基板５１Ａの下端に形成された段部５２Ａと、段部５２Ａの下端から表面側に延びる水切部５３Ａとを備えている。図に示す施工構造では、中間水切５０Ａの段部５２Ａに上側の外壁板３０Ａの下端を載置した状態で、外壁板３０Ａの表面から釘９５を打ち付けて横胴縁９１に固定している。
【０００８】
図７（ｂ）は、上下接合部の他の施工例を示している（特許文献３参照）。この施工例では、中間水切５０Ｂを使用して上下の外壁板３０Ａ，３０Ｂを留め付けている。中間水切５０Ｂは、横胴縁９１に固定される基板５１Ｂと、基板５１Ｂから表面側に延びる２つの受け板５２Ｂと、各受け板５２Ｂの先端からそれぞれ上方および下方に延びる２つの前面板５３Ｂ，５３Ｂとを備えている。さらに、基板５１Ｂの上側縁および下側縁に沿って、表面側に突出する凸条５４Ｂが形成され、また、裏面側に複数の足部５５Ｂが形成されている。図に示す施工構造では、中間水切５０Ｂの受け板５２Ｂおよび前面板５３Ｂで上下の外壁板３０Ａ，３０Ｂの端部を支承するとともに、凸条５４Ｂと足部５５Ｂとによって外壁板３０Ａ，３０Ｂと構造躯体（胴差のことであるが、ここでは図示しない。）との間に十分な隙間を空け、通気層を確保している。
【０００９】
【特許文献１】特開２０００−１０４３８７号公報
【特許文献２】特開２００１−３２５１７号公報
【特許文献３】特開２０００−１６０８０４号公報
【発明の開示】
【発明が解決しようとする課題】
【００１０】
図６（ａ）に示す土台部施工構造に使用される土台水切４０Ａは、外壁板３０の重量を支持するために十分頑丈である必要があることから、アルミ成形品などとして形成されており、製造コストが高くなっていた。また、釘９５を使用して外壁板３０を横胴縁９１に留め付けているため、外壁板３０と横胴縁９１との間に隙間を空けて通気層を確保するのは困難であり、また釘９５の頭が外壁板３０の表面に露出して外観を損なうおそれがあった。
【００１１】
図６（ｂ）に示した土台部施工構造でも、水切部材６０は外壁板３０の重量を支持するためにアルミ成形品などとして形成されており、製造コストが高くなっていた。また、外壁板３０下端部近傍を安定して支持するために、水切部材６０の先端に沿って帯状の前面板６３が形成されており、この前面板６３が外壁板３０の前面に露出するために外観を損なうおそれがあった。
【００１２】
図７（ａ）に示した上下接合部施工構造では、中間水切５０Ａの段部５２Ａに上側の外壁板３０Ａの下端を載置することができるものの、この段部５２Ａは外壁板３０Ａの下端位置を決める役割を果たしているだけであり、外壁板３０Ａの重量を支持するわけではない。そのため、外壁板３０Ａの表面から釘９５を打ち込んで横胴縁９１に固定する必要があり、外壁板３０Ａ表面に釘頭が露出して外観を損なうおそれがあった。
【００１３】
図７（ｂ）に示した上下接合部施工構造では、中間水切５０Ｂは外壁板３０Ａの重量を支持するためにアルミ成形品などとして形成されるため、製造コストが高くついていた。また、外壁板３０Ａ下端部近傍を安定して支持するために、中間水切５０Ｂの先端に沿って帯状の前面板５３Ｂが形成されており、この前面板５３Ｂが外壁板３０Ａ，３０Ｂの前面に露出するために外観を損なうおそれがあった。
【００１４】
以上説明したように、外壁板の縦張り施工においては、釘を用いて外壁板を横胴縁に固定する場合には、外壁板と横胴縁との間において通気層の確保が困難であり、また釘頭が外壁板表面に露出してしまうという問題があり、一方、留付金具を用いて外壁板を横胴縁に固定する場合には、上記問題は解決されることもあるが、通気層を確保しつつ外壁板下端部近傍を安定して支持するための特殊形状を有する製造コスト高の成形部材を使用する必要があり、それがために施工外観を損なうおそれもあった。
【００１５】
本発明は上記のような問題に鑑みてなされたものであり、低コストで簡単な施工構造でありながら、外壁板下端部近傍を安定して支持し、かつ通気層を確保することのできる、外壁板縦張り施工構造を提供することを目的とする。
【課題を解決するための手段】
【００１６】
本発明者らは上記課題を解決するべく研究を重ねた結果、外壁板下端部をスターター金具によって支承するとともに、外壁板の左右側辺を位置決め固定する留付金具をスターター金具の上方近傍に配置した場合には、スターター金具を単純な形状としても、留付金具の存在により、外壁板下端部近傍を安定して支持しつつ通気層を確保することができることを見い出し、本発明をするに至った。
【００１７】
すなわち本発明は、外壁板と横胴縁との間に隙間を空けた状態で外壁板の左右側辺を位置決め固定することのできる留付金具を用いた、外壁板の縦張り施工構造であって、留め付けた外壁板の下端近傍に位置する横胴縁には、外壁板の左右側辺を位置決め固定している前記留付金具と、外壁板の下端を支承しているスターター金具とが上下方向に隣接して固定されており、前記スターター金具は、横胴縁に固定される基板と、該基板から水平方向に延びており外壁板下端を支承することのできる受け板とからなることを特徴とする。
【００１８】
本発明による施工構造が建物土台部に適用される場合には、スターター金具は、建物土台部に設置された土台水切の上方に位置する横胴縁に固定されることになる。また、上記施工構造が、上下に隣り合う外壁板の接合部に適用される場合には、スターター金具は、上下に隣り合う外壁板の間に設置された中間水切の上方に位置する横胴縁に固定されることとなる。なお、上記土台水切および中間水切は、従来使用されている任意の形状のものであってよい。また、留付金具も、外壁板と横胴縁との間に隙間を空けた状態で外壁板を留め付けることのできるものであれば、任意の形状のものを使用することができる。
【００１９】
本発明による縦張り施工構造では、スターター金具によって外壁板の重量を支持しており、水切には外壁板の重量はかからない。そのため、水切は、図６（ａ）、図６（ｂ）および図７（ｂ）に示したような高コストのアルミ成形品でなくてよく、例えば鋼板の折り曲げ加工等によって作られた、低コストのものとすることが可能である。また、スターター金具の上方に隣接して留付金具が配置されていることにより、図６（ｂ）や図７（ｂ）に示した前面板６３，５３Ｂをスターター金具に設けなくても、外壁板下端部近傍を安定した状態で支持することができる。そしてさらに、図６（ｂ）や図７（ｂ）に示した凸条６４，５４Ｂや足部６５，５５Ｂを設けなくても、外壁板と横胴縁との間に隙間を空けて通気層を確保することができる。そのため、本発明で使用されるスターター金具は、基板および受け板だけからなる単純な形状とすることができ、低コストで製造することが可能である。また、図６（ｂ）や図７（ｂ）に示した施工構造のように前面板６３，５３Ｂが外壁板３０，３０Ａの前面に露出してしまうようなこともないので、好ましい外観となる。
【００２０】
好ましい態様において、スターター金具は、左右に隣接する２枚以上の外壁板の下端を支承することのできる長さとされる。本態様においては、１つのスターター金具で２枚以上の外壁板の下端を支承することができるので、施工が容易である。
【００２１】
より好ましくは、スターター金具の受け板に少なくとも１つの水抜き用の孔を設けることにより、外壁板下端付近に雨水が滞留するのを確実に防ぐことができる。
【発明の効果】
【００２２】
上記のように、本発明によれば、低コストの部材を用いながら、外壁板下端部近傍を安定して支持し、かつ通気層を確保することができ、しかも、使用するスターター金具は外壁板前面に露出しないので好ましい外観となる。
【発明を実施するための最良の形態】
【００２３】
以下、図面を参照しながら、本発明の好ましい実施の形態を説明する。図１は、本発明による縦張り施工構造を建物土台部に適用した実施例を示す斜視図であり、図２は図１のＩＩ−ＩＩ線による断面図である。
【００２４】
図１および図２に示す施工構造では、従来の土台部施工構造と同様に、構造躯体９２に対して横胴縁９１が、防水紙９３を介して固定されている。そして、土台水切４０の上方１０〜１５ｍｍの位置に留め付けられた外壁板３０の下端近傍に位置する横胴縁９１には、外壁板３０の左右側辺３１を位置決め固定している留付金具２０と、外壁板３０の下端６〜７ｍｍ程度を支承しているスターター金具１０とが上下方向に隣接して固定されている。留付金具２０およびスターター金具１０は、それぞれ釘９５およびビス９６を用いて固定される。留付金具２０は、外壁板３０の左右側辺３１に設けられた上下実部を係止することのできる係止部２１や、外壁板３０の裏面に当接されるスペーサ部２２を備えており、外壁板３０裏面と横胴縁９１との間にスペーサ部２２の厚み分の隙間を空けた状態で支持し、外壁板３０の左右側辺３１の上下実部をそれぞれ係止して位置決め固定することができるようになっている。なお、図に示される留付金具２０は例示にすぎず、外壁板３０と横胴縁９１との間に隙間を空けた状態で外壁板３０の左右側辺３１の上下実部を係止できるものであれば、この他にも任意の形状の留付金具を使用することが可能である。
【００２５】
図３（ａ）は、スターター金具１０のみを単独で示す斜視図であり、図３（ｂ）は図３（ａ）のＩＩＩ−ＩＩＩ線による断面図である。スターター金具１０は一枚のメッキ鋼板から形成されており、横胴縁９１に固定される基板１１と、基板１１の下部を垂直に折り曲げることによって形成される受け板１２とからなる。受け板１２の先端部分は下方に折り重ねられており、それにより強度を向上させるとともに、鋼板の端面に生じる錆が見えないようにしている。また、受け板１２には複数の水抜き用の孔１３が設けられており、外壁板３０裏面に結露した水滴が滞留せずに外部に排出されるようにしている。さらに、基板１１にはビス用の孔１４が複数箇所に設けられている。
【００２６】
上記のような施工構造においては、留付金具２０がスターター金具１０の上方に隣接して配置されていることにより、スターター金具１０が単純な形状とされているにも関わらず、外壁板３０と横胴縁９１との間に空間を確保しながら、外壁板３０下端部近傍を安定した状態で支持することができる。また、図６（ｂ）や図７（ｂ）に示した施工構造のように前面板６３，５３Ｂが外壁板３０の前面に露出してしまうようなことはなく、外観も好ましいものとなる。
【００２７】
図４は、本発明による縦張り施工構造を上下接合部に適用した実施例を示す斜視図であり、図５は図４のＶ−Ｖ線による断面図である。
【００２８】
図４および図５に示す施工構造でも、従来の上下接合部施工構造と同様に、構造躯体９２に対して防水紙９３を介して横胴縁９１が固定されている。そして、中間水切５０を挟んで上下に隣接する外壁板３０Ａ，３０Ｂが、図１および図２に示したものと同じ留付金具２０によって固定されている。上側の外壁板３０Ａの下端近傍に位置する横胴縁９１には、外壁板３０Ａの左右側辺３１の上下実部を係止している留付金具２０と、外壁板３０Ａの下端を支承しているスターター金具１０とが上下方向に隣接して固定されている。スターター金具１０は図３に示したものと同じものである。本施工構造においても、図１および図２に示した施工構造と同様に、スターター金具１０の上方に隣接して留付金具２０が配置されていることにより、上側の外壁板３０Ａと横胴縁９１との間に空間を確保しつつ、外壁板３０Ａ下端部近傍を安定した状態で支持することができる。
【００２９】
以上、本発明による縦張り施工構造の実施例について説明したが、本発明の施工構造に使用される留付金具や土台水切、中間水切は、図示したものの他にも様々な形状のものを使用することができる。また、スターター金具についても、基板と受け板とを備えるものであれば、図示したものの他にも様々な形状あるいは材質とすることが可能である。
【図面の簡単な説明】
【００３０】
【図１】本発明による縦張り施工構造を建物土台部に適用した実施例を示す斜視図。
【図２】図１のＩＩ−ＩＩ線による断面図。
【図３】図１の施工構造に用いられるスターター金具を示す図。
【図４】本発明による縦張り施工構造を上下接合部に適用した実施例を示す斜視図。
【図５】図４のＶ−Ｖ線による断面図。
【図６】従来の建物土台部施工構造を示す斜視図。
【図７】従来の上下接合部施工構造を示す斜視図。
【符号の説明】
【００３１】
１０…スターター金具，１１…基板，１２…受け板，１３…水抜き用の孔，２０…留付金具，２１…係止部，２２…スペーサ部，３０…外壁板，４０…土台水切
【図１】
2006083652.tif 000003
【図２】
2006083652.tif 000004
【図３】
2006083652.tif 000005
【図４】
2006083652.tif 000006
【図５】
2006083652.tif 000007
【図６】
2006083652.tif 000008
【図７】
2006083652.tif 000009